(57)【要約】      （修正有）【課題】表裏両面に任意模様を施した人工皮革材を任意形状に形成した装飾具を提供する。【解決手段】表面に任意色彩を施した人工皮革材からなる表地３と裏地５を貼り合せて花形、星形、ハート形、動物形、植物形、記号などの図形またはキャラクター図形などに加熱溶断すると同時に、表地３と裏地５の表面に花形、星形、ハート形、動物形、植物形、記号などの図形またはキャラクター図形などからなる模様部７を有した第１装飾具１を形成し、該第１装飾具の表面に少なくとも１以上の装飾鋲１２を取付け可能に形成してなることを特徴とする。【選択図】図４
0003203439.tif 000002
【実用新案登録請求の範囲】
【請求項１】
表面に任意色彩を施した人工皮革材からなる表地（３）と裏地（５）を貼り合せて任意形状に加熱溶断して形成した第１装飾具（１）の表裏両面に任意形状の模様部（７）を一体に形成してなることを特徴とする装飾具。
【請求項２】
第１装飾具（１）の溶断形状は、花形、星形、ハート形、動物形、植物形、記号などの図形またはキャラクター図形などからなることを特徴とする請求項１記載の装飾具。
【請求項３】
前記模様部（７）は、凹凸状の星形、花形、ハート形、動物形、植物形、記号などの図形またはキャラクター図形さらには、外周縁に沿って形成した凹凸状の縫目模様などからなることを特徴とする請求項１記載の装飾具。
【請求項４】
第１装飾具（１）の表面で任意個所に、少なくとも１以上の装飾鋲（１２）を取付けてなることを特徴とする請求項１記載の装飾具。
【請求項５】
第１装飾具（１）の表地（３）または裏地（５）の表面に接着剤（１５）を塗布してなることを特徴とする請求項１または２記載の装飾具。
【請求項６】
表地（３）または裏地（５）の表面に接着剤（１５）を塗布した第１装飾具（１）は、かばん、ランドセルまたは透明なランドセルカバー（１７）に接着可能に形成してなることを特徴とする請求項１または２記載の装飾具。
【請求項７】
表面に任意色彩を施した人工皮革材からなる表地（３３）と裏地（３５）を貼り合せて任意形状に加熱溶断して形成した第２装飾具（３１）の周縁の任意個所に吊下孔（３７）を設けると同時に、前記表地（３３）と裏地（３５）の表面に任意形状の模様部（３８）を一体に形成してなることを特徴とする装飾具。
【請求項８】
前記吊下孔（３７）に、ストラップまたはチェーンなどからなる吊下具（３９）を着脱可能に取付けてなることを特徴とする請求項７記載の装飾具。
【請求項９】
第２装飾具（３１）の溶断形状は、花形、星形、ハート形、動物形、植物形、記号などの図形またはキャラクター図形などからなることを特徴とする請求項７記載の装飾具。
【請求項１０】
前記模様部（３８）は、凹凸状の星形、花形、ハート形、動物形、植物形、記号などの図形またはキャラクター図形さらには、外周縁に沿って形成した凹凸状の縫目模様などからなることを特徴とする請求項７記載の装飾具。
【請求項１１】
前記第２装飾具（３１）の表面で任意個所に、少なくとも１以上の装飾鋲（１２）を取付けてなることを特徴とする請求項７記載の装飾具。
【考案の詳細な説明】
【技術分野】
【０００１】
本考案は、人工皮革または人造皮革により形成した装飾具に関する。
【背景技術】
【０００２】
従来より、装飾具（アクセサリー）には多種多様のものが広く使用されている。特に丸形や星形をしたワッペン型のものをかばんやランドセルまたは携帯電話のカバーに貼り付けて使用するものや、ストラップに吊下げる人形型やキャラクター人形型などが広く知られている。また、学童が背負うランドセルに目印として装飾具を吊下げて使用する装飾具などが広く知られている。
【先行技術文献】
【特許文献】
【０００３】
【特許文献１】実用新案登録第３０９５４６３号公報
【特許文献１】実用新案登録第３１７０２５７号公報
【０００４】
一方、装飾具を構成する材料は、布地、皮革、金属材、合成樹脂材など多種多様である。各種原材料のうち、皮革材で形成した装飾具は、高級感と長期間使用することにより風格と味わいが出てくることから広く使用され、また愛用されている。
【考案の概要】
【考案が解決しようとする課題】
【０００５】
しかし、天然の皮革で形成した革細工の装飾具は、原材料が高いことから必然的に高級品となり安価な製品を形成することが困難であった。
【０００６】
そこで本考案は、天然皮革に比べ、コストが安価ないわゆる人工皮革を使用することにより、細工が簡単で見栄えのよい装飾具を提供することにより、アクセサリーとしてだけでなく、ランドセルやランドセルカバーに取付け可能にすることにより、学童をはじめ多くの人々に広く愛用される装飾具を提供することを目的とするものである。
【課題を解決するための手段】
【０００７】
上記課題を達成するため、請求項１の考案は、表面に任意色彩を施した人工皮革材からなる表地３と裏地５を貼り合せて任意形状に加熱溶断して形成した第１装飾具１の表面及び裏面に任意形状の模様部７を一体に形成してなることを特徴とする。また、第１装飾具１の溶断形状は、花形、星形、ハート形、動物形、植物形、記号などの図形またはキャラクター図形などからなることを特徴とする。さらに、前記模様部７は、凹凸状の星形、花形、ハート形、動物形、植物形、記号などの図形またはキャラクター図形さらには、外周縁に沿って形成した凹凸状の縫目模様などからなることを特徴とする。さらにはまた、第１装飾具１の表面で任意個所に、少なくとも１以上の装飾鋲１２を取付けてなることを特徴とする。また、第１装飾具１の表地３または裏地５の表面に接着剤１５を塗布してなることを特徴とする。さらに、表地３または裏地５の表面に接着剤１５を塗布した第１装飾具１は、かばん、ランドセルまたは透明なランドセルカバー１７に接着可能に形成してなることを特徴とする。
【０００８】
したがって、第１装飾具１は、人工皮革材からなる表地３と裏地５を貼り合せて任意形状に加熱溶断して形成したことにより、高級革製品に似せたワッペン型やブローチ型の装飾具を簡単で安価に製作することができる。また、第１装飾具１の表面または裏面に模様部７や装飾鋲１２または接着剤１５を塗布して形成することにより、形状や模様にバリエーションを持たせることができるので、消費者の購買意欲を増進させることにできる第１装飾具１を形成することができる。さらには、第１装飾具１をかばんやランドセルさらにはランドセルカバー１７などに簡単に飾りつけることができるので、第１装飾具１が目印とすることができるので他人のかばんと識別することができ、ランドセルなどの取り違えを防止することができる。
【０００９】
請求項７の考案は、表面に任意色彩を施した人工皮革材からなる表地３３と裏地３５を貼り合せて任意形状に加熱溶断して形成した第２装飾具３１の周縁任意個所に吊下孔３７を設けると同時に、該第２装飾具の表面及び裏面に任意形状の模様部３８を一体に形成してなることを特徴とする。また、前記吊下孔３７に、ストラップまたはチェーンなどからなる連結具３９を着脱可能に取付けてなることを特徴とする。さらに、第２装飾具３１の溶断形状は、花形、星形、ハート形、動物形、植物形、記号などの図形またはキャラクター図形などからなることを特徴とする。さらにはまた、前記模様部３８は、凹凸状の星形、花形、ハート形、動物形、植物形、記号などの図形またはキャラクター図形さらには、外周縁に沿って形成した凹凸状の縫目模様などからなることを特徴とする。また、前記第２装飾具３１の表面で任意個所に、少なくとも１以上の装飾鋲１２を取付けてなることを特徴とする。
【００１０】
したがって、第２装飾具３１は、吊下孔３７に好みの装飾具３９を取付けることにより、高級革製品に似せたキーホルダー型やストラップ型の装飾具として簡単で安価に製作することができると共に、第２装飾具３１を好みのものに吊下げて楽しむことができる。また、第２装飾具３１の形状や模様にバリエーションを持たせることができるので、消費者の購買意欲を増進させることができる。さらには、表面に設けた装飾部３８に好みのキャラクター図形などを施した第２装飾具３１をランドセルやかばんに吊下げることにより、目印となることから他人のかばんと識別することができるのでかばんなどの取り違えを防止することができる。
【図面の簡単な説明】
【００１１】
【図１】本考案に係る第１装飾具の実施の形態を示す正面図である。
【図２】図１のＡ―Ａ線断面図である。
【図３】本考案に係る第１装飾具に装飾鋲を取付けた正面図である。
【図４】図３のＢ―Ｂ線断面図である。
【図５】本考案に係る第１装飾具の表面に接着剤を塗布した拡大断面図である。
【図６】接着部を塗布した第１装飾具をランドセルカバーに取付けた使用状態を示す正面図である。
【図７】図６のＣ―Ｃ線断面図である。
【図８】本考案に係る第２装飾具の実施の形態を示す正面図である。
【図９】図８のＤ−Ｄ線断面図である。
【図１０】吊下具を取付けた第２装飾具の実施の形態を示す正面図である。
【考案を実施するための形態】
【００１２】
本考案の第１装飾具を図面に基づいて説明すると、図１は本考案に係る第１装飾具の実施形態を示す正面図、図２は図１のＡ―Ａ線断面図、図３は本考案に係る第１装飾具に装飾鋲を取付けた正面図、図４は図３のＢ―Ｂ線断面図、図５は第１装飾具の表面に接着剤を塗布した拡大断面図、図６は接着部を塗布した第１装飾具をランドセルカバーに取付けた使用状態を示す正面図、図７は図６のＣ―Ｃ線断面図である。この第１装飾具１は、合成皮革または人工皮革で形成し、表面に任意色彩を施した表地３と裏地５とを貼り合せて任意形状に加熱溶断して形成してある。
【００１３】
前記表地３と裏地５は、それぞれ天然皮革に似せて形成した人工皮革材からなり、前記表地３と裏地５は、軽量で強度性を有する繊細な合成繊維を三次元に絡ませた不織布に形成した空洞に多孔質ウレタン樹脂材をコーテイングしてなる公知の人工皮革で、例えば、株式会社クラレが製造販売する商品名「クラリーノ」（登録商標）を使用することが望ましい。
【００１４】
人工皮革シート材により形成した表地３と裏地５を貼り合せ、公知のプエス機で加熱成形加工または加熱プレス加工などにより溶断して形成する。この加熱溶断加工は、人工皮革材からなる表地３と裏地５を任意形状に溶断すると同時に表地３と裏地５を接着させ、表面に任意形状の凹凸状の模様部７を一体に形成する。
【００１５】
前記表地３と裏地５を加熱溶断して形成した第１装飾具１の形状は、図１、８または９に示すごとく、消費者の購買意欲を増進させる花形、星形、丸形、ハート形、動物形、植物形、記号などの図形またはキャラクター図形などからなることが望ましい。
【００１６】
また、第１装飾具１の表地３と裏地５に設けた模様部７は、図１、８または９に示すごとく、消費者の購買意欲を増進させる花形、星形、ハート形、動物形、植物形、記号などの図形またはキャラクター図形などからなることが望ましい。前記第１装飾具１の表地３と裏地５の表面に施した色彩は、単一色の赤色、青色、黄色、緑色、茶色などからなり、さらには、前記単一色を組み合わせた模様に形成してもよい。
【００１７】
さらに第１装飾具１は、図３、４に示すごとく、表面中央または任意個所に装飾鋲１２を取付けてある。この装飾鋲１２は、図４に示すごとく、上端に宝石を模した石部１３を取付けた支持軸１４を第１装飾具１に貫通させ、裏地側に突出した支持軸１４の下端をかしめて固定することにより取付けてある。前記装飾鋲１２の石部１３は、例えば、ダイヤモンド、ルビー、エメラルドなどの宝石を模した形状色彩に形成してある。したがって、第１装飾具１は、表裏両面に設けた装飾部７と、この装飾鋲１２とを配置することにより、消費者の購買意欲を刺激する高級感を有するバリエーションに富んだ第１装飾具を提供することができる。
【００１８】
さらに第１装飾具１は、図５、６に示すごとく、表地３または裏地５の表面全体に接着剤１５を塗布し、未使用時には接着剤１５の表面に剥離紙（図示せず）を貼り付けてある。この接着剤１５に剥離紙を貼付した第１装飾具１を消費者が購入した後、好みのかばんやランドセルさらには携帯電話のカバーなどに剥離紙をはがして簡単に取付けることができる。
前記接着剤を
【００１９】
接着剤１５は、接着後に白化しない透明な公知の接着剤を使用し、図６、７に示すごとく、例えば、表面側に接着剤を塗布した第１装飾具１を透明なランドセルカバー１７の裏側から接着した場合、表面側から第１装飾具１の形状と表地３の模様部７を透して見せることができる。
【００２０】
また、図７に示すごとく、第１装飾具１をランドセルカバー１７の表カバーの裏側から取付けてあるため、表面側を平坦にすることができ、第１装飾具１が引っ掛かったり、衝撃で剥がれ落ちるおそれがなく、長期間使用することができる。さらに、第１装飾具１をかばんやランドセルに取付ける場合、一つだけでなく、複数個を取付けて使用することができるのは勿論である。
【００２１】
本考案の第２装飾具３１の実施の形態を図面に基づいて説明すると、図８は第２装飾具の実施形態を示す正面図、図９は図８のＤ―Ｄ線断面図、図１０は吊下具を取付けた第２装飾具の実施の形態を示す正面図である。この第２装飾具３１は、表面に任意色彩を施した人工皮革材からなる表地３３と裏地３５を貼り合せて任意形状に加熱溶断すると同時に、周縁の任意個所に吊下孔３７を設け、表地３３または裏地３５の表面に任意形状の装飾部３８を一体に形成してある。また、前記第２装飾具３１の吊下孔３７には、図８、１０に示すごとく、ストラップまたはチェーンなどからなる連結具３９を着脱可能に取付けてある。
【００２２】
前記表地３３と裏地３５は、前記第１装飾具１と同一素材である天然皮革に似せて形成した人工皮革材からなり、軽量で強度性を有する繊細な合成繊維を三次元に絡ませた不織布に形成した空洞に多孔質ウレタン樹脂材をコーテイングしてなる公知の人工皮革で、例えば、株式会社クラレが製造販売する商品名「クラリーノ」（登録商標）を使用することが望ましい。
【００２３】
人工皮革シート材により形成した表地３３と裏地３５を貼り合せて任意形状に加工する加熱溶断は、公知の加熱成形加工または加熱プレス加工などにより加熱溶断して形成する。この加熱溶断加工は、表地と裏地を任意形状に溶断すると同時に互いに接着させ、表裏両面に任意形状の凹凸模様からなる模様部３８を形成する。
【００２４】
加熱溶断して形成した第２装飾具３１の形状および表地３３と裏地３５に設けた模様部３８さらには表地３３と裏地３５に設けた色彩は、前記第１装飾具１と同一であるため、説明が重複することからここでの説明を省略する。
【００２５】
第２装飾具３１は、前記第１装飾具１に取付けた装飾鋲１２と同様に、表地３３の中央または任意個所に装飾鋲１２を取付けることができる。この装飾鋲１２は、図８、９に示すごとく、上端に宝石を模した石部１３を取付けた軸部１４を第１装飾具１に貫通させ、裏地側に突出した軸部１４の下端をかしめて固定することにより取付けることにより、高級革製品に似せたキーホルダー型やストラップ型の第２装飾具３１を簡単で安価に製作することができる。
【００２６】
以下、本考案の実施の形態の作用について説明すると、第１装飾具１は、表面に任意色彩を施した人工皮革材からなる表地３と裏地５を貼り合せて任意形状に加熱溶断すると同時に、表地３または裏地５の表面に任意形状の模様部７を一体に形成してある。したがって、本革に似せた高級感と艶のある滑らかな革製品独特の高級革製品に似せたワッペン型やブローチ型の第１装飾具１を簡単で安価に製作することができる。また、第１装飾具１を加熱溶断加工により一体に形成したことにより、型崩れや経年変化による劣化を防止することができる。
【００２７】
この第１装飾具１の表面にダイヤモンドやルビーなどの宝飾を取付けた装飾鋲１２を取付けることにより、第１装飾具１をグレートアップして高級品にすることができるので、消費者の購買意欲を増進させることができる。
【００２８】
装飾部７を設けた第１装飾具１、さらには、表面に装飾鋲１２を取付けた第１装飾具１の表面または裏面に接着後に白化しない公知の接着剤１５を塗布することにより、かばんやランドセルさらにはランドセルカバー１７などに簡単に飾りつけることができる。したがって、第１装飾具１を購買した人の好みにより、ランドセルやかばんなど好きなところに取付けることができ、第１装飾具１を取付けたかばんやランドセルは、目印となることから他人のかばんと識別することができるので取り間違えを防止することができる。
【００２９】
第２装飾具３１は、前記第１装飾具１と同様に、表面に任意色彩を施した人工皮革材からなる表地３３と裏地３５を貼り合せて任意形状に加熱溶断すると同時に、周縁の任意個所に吊下孔３７を設け、表地３３または裏地３５の表面に任意形状の模様部３８を一体に形成してある。したがって、第２装飾具３１の吊下孔３７にストラップまたはチェーンなどからなる連結具３９を着脱可能に取付けたことにより、本革に似せた高級感と艶のある滑らかな革製品独特の高級革製品に似せた吊下げ具を簡単で安価に製作することができる。
【００３０】
表面に任意色彩を施した表地３３と裏地３５を加熱溶断して形成した第２装飾具は、輪郭形状を花形や動物形またはキャラクター図形にし、且つ、表地３３の表面にバリエーションに富んだ模様部３８を形成し、さらには、表面にダイヤモンドやルビーなどの宝飾を取付けた装飾鋲１２を取付けることにより、第２装飾具１をグレートアップした高級品にすることにより、消費者の購買意欲をさらに増進させることができる。
【００３１】
さらには、模様部３８に好みのキャラクター図形などを施した第２装飾具３１をランドセルやかばんに吊下げることにより、目印となることから他人のかばんと識別することができるので取り違えを防止することができる。
【符号の説明】
【００３２】
１      第１装飾具
３      表地
５      裏地
７      模様部
１２    装飾鋲
１３    石部
１４    軸部
１５    接着剤
１７    ランドセルカバー
３１    第２装飾具
３３    表地
３５    裏地
３７    吊下孔
３８    模様部
３９    吊下具
【図１】
0003203439.tif 000003
【図２】
0003203439.tif 000004
【図３】
0003203439.tif 000005
【図４】
0003203439.tif 000006
【図５】
0003203439.tif 000007
【図６】
0003203439.tif 000008
【図７】
0003203439.tif 000009
【図８】
0003203439.tif 000010
【図９】
0003203439.tif 000011
【図１０】
0003203439.tif 000012